【手続補正書】
【提出日】平成15年9月30日(2003.9.30)
【手続補正１】
【補正対象書類名】明細書
【補正対象項目名】発明の名称
【補正方法】変更
【補正の内容】
【発明の名称】液晶表示装置および光学補償シート
【手続補正２】
【補正対象書類名】明細書
【補正対象項目名】特許請求の範囲
【補正方法】変更
【補正の内容】
【特許請求の範囲】
【請求項１】
一対の表面に配向膜を有する透明電極付き基板の間にネマチック液晶の層が封入されてなる液晶セル、及び液晶セルの両側に設けられた偏光板からなり、そしてネマチック液晶の層がベンド配向を示すものであり、且つネマチック液晶の配向ベクトルの基板に対する角度が、液晶セルに付与される電圧の変化により変化する液晶表示装置において、
液晶セルと少なくとも一方の偏光板との間に光学補償シートが備えられており、かつ光学補償シートが、該光学補償シートの法線方向から傾いた方向に、レターデーションの絶対値の最小値を示すことを特徴とする液晶表示装置。
【請求項２】
光学補償シートが、透明支持体およびその上に設けられたディスコティック構造単位を有する化合物からなる光学異方層からなる請求項１に記載の液晶表示装置。
【請求項３】
光学異方層のディスコティック構造単位の円盤面が、透明支持体面に対して傾いており、且つ該ディスコティック構造単位の円盤面と透明支持体面とのなす角度が、光学異方層の深さ方向において変化している請求項２に記載の液晶表示装置。
【請求項４】
透明支持体が、｜ｎx −ｎy ｜×ｄ2で表される正面レターデーションが０〜２００ｎｍの範囲であり、さらに下記の条件：
２０≦｛（ｎx ＋ｎy ）／２−ｎz ｝×ｄ2 ≦４００
（但し、ｎx 及びｎy は支持体の面内の主屈折率を表わし、ｎz は厚み方向の主屈折率を表わし、ｄ2は支持体のｎｍ換算の厚さを表わす）
を満足する請求項２に記載の液晶表示装置。
【請求項５】
透明支持体と光学異方層との間に、配向膜が形成されている請求項２に記載の液晶表示装置。
【請求項６】
光学補償シート全ての下記で表されるレターデーションの合計の絶対値Ｒｅ1 と、液晶層の下記で表されるレターデーションの絶対値Ｒｅ2とが、下記の関係：
０．２×Ｒｅ2 ≦Ｒｅ1 ≦２．０×Ｒｅ2
［但し、上記光学補償シートのレターデーションは｛（ｎ2 ＋ｎ3 ）／２−ｎ1 ｝×ｄ（式中、ｎ1 、ｎ2 及びｎ3 は、上記シートの３軸方向屈折率を表わし、それぞれこの順に小さい屈折率を有し、ｄは上記シートのｎｍ換算の厚さを表わす）により定義され、そして上記液晶層のレターデーションは、｛ｎ3−（ｎ1 ＋ｎ2 ）／２｝×ｄ（式中、ｎ1 、ｎ2 及びｎ3 は、上記液晶層の３軸方向屈折率を表わし、それぞれこの順に小さい屈折率を有し、ｄは上記液晶層のｎｍ換算の厚さを表わす）により定義される］
を満足する請求項１に記載の液晶表示装置。
【請求項７】
ノーマリーホワイトモードで使用される請求項１に記載の液晶表示装置。
【請求項８】
一対の表面に配向膜を有する透明電極付き基板の間にネマチック液晶の層が封入され且つ一方の配向膜がネマチック液晶をホメオトロピック配向させることができる層である液晶セル、液晶セルの一方の側に設けられた偏光板、及び液晶セルの他方の側に配置された反射板からなり、且つネマチック液晶の層はハイブリッド配列を示すものであり、且つネマチック液晶の配向ベクトルの基板に対する角度が、液晶セルに付与される電圧の変化により変化する液晶表示装置において、
液晶セルと偏光板との間に光学補償シートが備えられており、かつ光学補償シートが、該光学補償シートの法線方向から傾いた方向に、レターデーションの絶対値の最小値を示すことを特徴とする液晶表示装置。
【請求項９】
光学補償シートが、透明支持体およびその上に設けられたディスコティック構造単位を有する化合物からなる光学異方層からなる請求項８に記載の液晶表示装置。
【請求項１０】
光学異方層のディスコティック構造単位の円盤面が、透明支持体面に対して傾いており、且つ該ディスコティック構造単位の円盤面と透明支持体面とのなす角度が、光学異方層の深さ方向において変化している請求項９に記載の液晶表示装置。
【請求項１１】
透明支持体が、｜ｎx −ｎy ｜×ｄ2で表される正面レターデーションが０〜２００ｎｍの範囲であり、さらに下記の条件：
２０≦｛（ｎx ＋ｎy ）／２−ｎz ｝×ｄ2 ≦４００
（但し、ｎx 及びｎy は支持体の面内の主屈折率を表わし、ｎz は厚み方向の主屈折率を表わし、ｄ2は支持体のｎｍ換算の厚さを表わす）
を満足する請求項９に記載の液晶表示装置。
【請求項１２】
透明支持体と光学異方層との間に、配向膜が形成されている請求項９に記載の液晶表示装置。
【請求項１３】
光学補償シートの下記で表されるレターデーションの絶対値Ｒｅ1 と、液晶層の下記で表されるレターデーションの絶対値Ｒｅ2とが、下記の関係：
０．２×Ｒｅ2 ≦Ｒｅ1 ≦２．０×Ｒｅ2
［但し、上記光学補償シートのレターデーションは｛（ｎ2 ＋ｎ3 ）／２−ｎ1 ｝×ｄ（式中、ｎ1 、ｎ2 及びｎ3 は、上記シートの３軸方向屈折率を表わし、それぞれこの順に小さい屈折率を有し、ｄは上記シートのｎｍ換算の厚さを表わす）により定義され、そして上記液晶層のレターデーションは、｛ｎ3−（ｎ1 ＋ｎ2 ）／２｝×ｄ（式中、ｎ1 、ｎ2 及びｎ3 は、上記液晶層の３軸方向屈折率を表わし、それぞれこの順に小さい屈折率を有し、ｄは上記液晶層のｎｍ換算の厚さを表わす）により定義される］
を満足する請求項８に記載の液晶表示装置。
【請求項１４】
ノーマリーホワイトモードで使用される請求項８に記載の液晶表示装置。
【請求項１５】
ベンド配向またはハイブリッド配列のネマチック液晶セル用光学補償シートであって、該光学補償シートの法線方向から傾いた方向にレターデーションの絶対値の最小値を示す光学補償シート。
【請求項１６】
透明支持体およびその上に設けられたディスコティック構造単位を有する化合物からなる光学異方層からなる請求項１５に記載の光学補償シート。
【請求項１７】
光学異方層のディスコティック構造単位の円盤面が、透明支持体面に対して傾いており、且つ該ディスコティック構造単位の円盤面と透明支持体面とのなす角度が、光学異方層の深さ方向において変化している請求項１６に記載の光学補償シート。
【請求項１８】
透明支持体が、｜ｎx −ｎy ｜×ｄ2で表される正面レターデーションが０〜２００ｎｍの範囲であり、さらに下記の条件：
２０≦｛（ｎx ＋ｎy）／２−ｎz ｝×ｄ2 ≦４００
（但し、ｎx 及びｎy は支持体の面内の主屈折率を表わし、ｎz は厚み方向の主屈折率を表わし、ｄ2は支持体のｎｍ換算の厚さを表わす）
を満足する請求項１６に記載の光学補償シート。
【請求項１９】
透明支持体と光学異方層との間に、配向膜が形成されている請求項１６に記載の光学補償シート。
【請求項２０】
光学補償シート全ての下記で表されるレターデーションの合計の絶対値Ｒｅ1 と、液晶層の下記で表されるレターデーションの絶対値Ｒｅ2とが、下記の関係：
０．２×Ｒｅ2 ≦Ｒｅ1 ≦２．０×Ｒｅ2 
［但し、上記光学補償シートのレターデーションは｛（ｎ2 ＋ｎ3 ）／２−ｎ1 ｝×ｄ（式中、ｎ1 、ｎ2 及びｎ3 は、上記シートの３軸方向屈折率を表わし、それぞれこの順に小さい屈折率を有し、ｄは上記シートのｎｍ換算の厚さを表わす）により定義され、そして上記液晶層のレターデーションは、｛ｎ3−（ｎ1 ＋ｎ2 ）／２｝×ｄ（式中、ｎ1 、ｎ2 及びｎ3 は、上記液晶層の３軸方向屈折率を表わし、それぞれこの順に小さい屈折率を有し、ｄは上記液晶層のｎｍ換算の厚さを表わす）により定義される］
を満足する請求項１５に記載の光学補償シート。
【請求項２１】
ノーマリーホワイトモードの液晶表示装置で使用される請求項１５に記載の光学補償シート。
【手続補正３】
【補正対象書類名】明細書
【補正対象項目名】００１２
【補正方法】変更
【補正の内容】
【００１２】
上記本発明の液晶表示装置の好ましい態様は下記のとおりである。
１）光学補償シートが、透明支持体およびその上に設けられたディスコティック構造単位を有する化合物からなる光学異方層からなる。
２）光学異方層のディスコティック構造単位の円盤面が、透明支持体面に対して傾いており、且つ該ディスコティック構造単位の円盤面と透明支持体面とのなす角度が、光学異方層の深さ方向において変化している。
３）透明支持体が、｜ｎx −ｎy ｜×ｄ2で表される正面レターデーションが０〜２００ｎｍの範囲であり、かつ該透明支持体面の法線方向に光軸を有し、さらに下記の条件：
２０≦｛（ｎx ＋ｎy ）／２−ｎz ｝×ｄ2 ≦４００
（但し、ｎx 及びｎy は支持体の面内の主屈折率を表わし、ｎz は厚み方向の主屈折率を表わし、ｄ2は支持体のｎｍ換算の厚さを表わす）
を満足する。
４）透明支持体と光学異方層との間に、配向膜が形成されている。
５）光学補償シート全ての下記で表されるレターデーションの合計の絶対値Ｒｅ1 と、液晶層の下記で表されるレターデーションの絶対値Ｒｅ2とが、下記の関係：
０．２×Ｒｅ2 ≦Ｒｅ1 ≦２．０×Ｒｅ2
［但し、上記光学補償シートのレターデーションは｛（ｎ2 ＋ｎ3 ）／２−ｎ1 ｝×ｄ（式中、ｎ1 、ｎ2 及びｎ3 は、上記シートの３軸方向屈折率を表わし、それぞれこの順に小さい屈折率を有し、ｄは上記シートのｎｍ換算の厚さを表わす）により定義され、そして上記液晶層のレターデーションは、｛ｎ3−（ｎ1 ＋ｎ2 ）／２｝×ｄ（式中、ｎ1 、ｎ2 及びｎ3 は、上記液晶層の３軸方向屈折率を表わし、それぞれこの順に小さい屈折率を有し、ｄは上記液晶層のｎｍ換算の厚さを表わす）により定義される］
を満足する。
６）液晶表示装置が、ノーマリーホワイトモードで使用される。


【手続補正４】
【補正対象書類名】明細書
【補正対象項目名】００１４
【補正方法】変更
【補正の内容】
【００１４】
上記本発明の液晶表示装置の好ましい態様は下記のとおりである。
１）光学補償シートが、透明支持体およびその上に設けられたディスコティック構造単位を有する化合物からなる光学異方層からなる。
２）光学異方層のディスコティック構造単位の円盤面が、透明支持体面に対して傾いており、且つ該ディスコティック構造単位の円盤面と透明支持体面とのなす角度が、光学異方層の深さ方向において変化している。
３）透明支持体が、｜ｎx −ｎy ｜×ｄ2で表される正面レターデーションが０〜２００ｎｍの範囲であり、かつ該透明支持体面の法線方向に光軸を有し、さらに下記の条件：
２０≦｛（ｎx ＋ｎy ）／２−ｎz ｝×ｄ2 ≦４００
（但し、ｎx 及びｎy は支持体の面内の主屈折率を表わし、ｎz は厚み方向の主屈折率を表わし、ｄ2は支持体のｎｍ換算の厚さを表わす）
を満足する。
４）透明支持体と光学異方層との間に、配向膜が形成されている。
５）光学補償シートの下記で表されるレターデーションの絶対値Ｒｅ1 と、液晶層の下記で表されるレターデーションの絶対値Ｒｅ2とが、下記の関係：
０．２×Ｒｅ2 ≦Ｒｅ1 ≦２．０×Ｒｅ2
［但し、上記光学補償シートのレターデーションは｛（ｎ2 ＋ｎ3 ）／２−ｎ1 ｝×ｄ（式中、ｎ1 、ｎ2 及びｎ3 は、上記シートの３軸方向屈折率を表わし、それぞれこの順に小さい屈折率を有し、ｄは上記シートのｎｍ換算の厚さを表わす）により定義され、そして上記液晶層のレターデーションは、｛ｎ3−（ｎ1 ＋ｎ2 ）／２｝×ｄ（式中、ｎ1 、ｎ2 及びｎ3 は、上記液晶層の３軸方向屈折率を表わし、それぞれこの順に小さい屈折率を有し、ｄは上記液晶層のｎｍ換算の厚さを表わす）により定義される］
を満足する。
６）液晶表示装置が、ノーマリーホワイトモードで使用される。
さらに本発明は、ベンド配向またはハイブリッド配列のネマチック液晶セル用光学補償シートであって、該光学補償シートの法線方向から傾いた方向にレターデーションの絶対値の最小値を示す光学補償シートも提供する。
【手続補正５】
【補正対象書類名】明細書
【補正対象項目名】００３０
【補正方法】変更
【補正の内容】
【００３０】
上記透明支持体は、実施例（例えば、光学補償シートＡ）に示すように、該透明支持体面のほぼ法線方向に光軸を有し、さらに下記の条件：
２０≦｛（ｎx ＋ｎy ）／２−ｎz ｝×ｄ2 ≦１０００
（但し、ｎx 及びｎy は支持体の面内の主屈折率を表わし、ｎz は厚み方向の主屈折率を表わし、ｄ2は支持体のｎｍ換算の厚さを表わす）
を一般に満足し、更に下記の条件：
２０≦｛（ｎx ＋ｎy ）／２−ｎz ｝×ｄ2 ≦４００
を満足することが好ましく、そして特に下記の条件：
５０≦｛（ｎx ＋ｎy ）／２−ｎz ｝×ｄ2 ≦４００
を満足することが好ましい。上記透明支持体は、負の一軸性であることが好ましい。
また上記透明支持体（フィルム）の｜ｎx −ｎy ｜×ｄ2 で表される正面レターデーションは、０〜２００ｎｍの範囲であることが好ましく、さらに０〜１５０ｎｍの範囲が好ましく、特に０〜１００ｎｍの範囲が好ましい。